(57)【特許請求の範囲】
【請求項１】
需要家施設に設けられる機器と、前記需要家施設に設けられるネットワークを介して前記機器と接続される管理装置とを備える管理システムであって、
前記管理装置は、
前記機器の動作を指示する第１コマンドを前記機器に送信する送信部を備え、
前記機器は、
前記第１コマンドに従って、前記機器の動作を制御する制御部と、
送信部とを備え、
前記第１コマンドに含まれる情報要素は、前記機器の動作によって変化し得る変数を示す変数情報要素を含み、
前記制御部は、前記第１コマンドで指示された動作が継続しているときに、前記変数情報要素によって示される変数を変更せずに維持し、
前記機器に設けられた前記送信部は、前記第１コマンドに従って動作しているか否かを特定する特定値を前記変数情報要素として含むコマンドを前記管理装置に送信する、管理システム。
【請求項２】
前記機器に設けられた前記送信部は、所定条件が満たされた場合に、前記特定値を前記変数情報要素として含む前記コマンドとして、情報通知コマンドを送信する、請求項１に記載の管理システム。
【請求項３】
前記機器に設けられた前記送信部は、前記機器の状態を要求する第２コマンドの受信に応じて、前記特定値を前記変数情報要素として含む前記コマンドとして、前記第２コマンドに対する要求応答コマンドを送信する、請求項１又は請求項２に記載の管理システム。
【請求項４】
前記機器に設けられた前記送信部は、前記第１コマンドで指示された動作が継続している場合に、前記制御部によって変更されずに維持される前記変数を含むコマンドを前記管理装置に送信する、請求項１乃至請求項３のいずれかに記載の管理システム。
【請求項５】
前記特定値は、前記第１コマンドで指示された動作が完了した旨を示す第１特定値を含む、請求項１乃至請求項４のいずれかに記載の管理システム。
【請求項６】
前記特定値は、前記第１コマンドで指示された動作がユーザによって解除された旨を示す第２特定値を含む、請求項１乃至請求項５のいずれかに記載の管理システム。
【請求項７】
前記特定値は、前記第１コマンドで指示された動作が行われていない旨又は前記第１コマンドで指示された動作が中断された旨を示す第３特定値を含む、請求項１乃至請求項６のいずれかに記載の管理システム。
【請求項８】
前記特定値は、前記第１コマンドで指示された動作が所定期間内に完了していない旨を示す第４特定値を含む、請求項１乃至請求項７のいずれかに記載の管理システム。
【請求項９】
前記特定値は、ゼロを含む、請求項１乃至請求項８のいずれかに記載の管理システム。
【請求項１０】
前記機器は、蓄電池の充放電を行う電力変換装置であり、
前記第１コマンドは、前記蓄電池の充放電量を表す設定値を示す設定値情報要素を前記変数情報要素として含み、
前記制御部は、前記第１コマンドが前記設定値情報要素を含む場合に、前記設定値情報要素に基づいて前記蓄電池の充放電を制御する、請求項１乃至請求項９のいずれかに記載の管理システム。
【請求項１１】
前記機器は、蓄電池の充放電を行う電力変換装置であり、
前記第１コマンドは、前記蓄電池の充放電量を表す設定値を示す設定値情報要素を前記変数情報要素として含むことが可能であり、かつ、前記蓄電池の運転モードを示す運転モード情報要素を含むことが可能であり、
前記設定値情報要素は、前記運転モード情報要素を含む前記第１コマンドよりも前に送信される前記第１コマンドに含まれており、
前記制御部は、前記設定値情報要素を含む前記第１コマンドを受信した場合であっても、前記運転モード情報要素を含む前記第１コマンドを受信した後において、前記運転モード情報要素に基づいて前記蓄電池の充放電を制御する、請求項１乃至請求項９のいずれかに記載の管理システム。
【請求項１２】
前記制御部は、前記運転モード情報要素に基づいて前記蓄電池の充放電を制御する場合に、前記設定値情報要素を有効化する、請求項１１に記載の管理システム。
【請求項１３】
前記機器は、蓄電池の充放電を行う電力変換装置であり、
前記第１コマンドは、前記蓄電池の充放電量の設定値を示す設定値情報要素を前記変数情報要素として含むことが可能であり、かつ、前記蓄電池の運転モードを示す運転モード情報要素を含むことが可能であり、
前記設定値情報要素は、前記運転モード情報要素を含む前記第１コマンドに含まれる、請求項１乃至請求項９のいずれかに記載の管理システム。
【請求項１４】
需要家施設に設けられるネットワークを介して管理装置から機器に対して、前記機器の動作を指示する第１コマンドを送信するステップＡと、
前記機器が前記第１コマンドに従って、前記機器の動作を制御するステップＢとを備え、
前記第１コマンドに含まれる情報要素は、前記機器の動作によって変化し得る変数を示す変数情報要素を含み、
前記ステップＢは、前記第１コマンドで指示された動作が継続しているときに、前記変数情報要素によって示される変数を変更せずに維持するステップを含み、
前記機器から前記管理装置に対して、前記第１コマンドに従って動作しているか否かを特定する特定値を前記変数情報要素として含むコマンドを送信するステップＣを備える、管理方法。
【請求項１５】
需要家施設に設けられるネットワークを介して管理装置と接続される機器であって、
前記管理装置から受信する第１コマンドに従って、前記機器の動作を制御する制御部と、
送信部とを備え、
前記第１コマンドに含まれる情報要素は、前記機器の動作によって変化し得る変数を示す変数情報要素を含み、
前記制御部は、前記第１コマンドで指示された動作が継続しているときに、前記変数情報要素によって示される変数を変更せずに維持し、
前記送信部は、前記第１コマンドに従って動作しているか否かを特定する特定値を前記変数情報要素として含むコマンドを前記管理装置に送信する、機器。
【請求項１６】
需要家施設に設けられるネットワークを介して機器と接続される管理装置であって、
前記機器の動作を指示する第１コマンドを前記機器に送信する送信部と、
受信部とを備え、
前記第１コマンドに含まれる情報要素は、前記機器の動作によって変化し得る変数を示す変数情報要素を含み、
前記変数情報要素によって示される変数は、前記第１コマンドで指示された動作が継続しているときに変更されずに維持され、
前記受信部は、前記第１コマンドに従って動作しているか否かを特定する特定値を前記変数情報要素として含むコマンドを前記機器から受信する、管理装置。
【発明の詳細な説明】
【技術分野】
【０００１】
本発明は、機器及び管理装置を備える管理システム、機器を管理装置が管理する管理方法、管理システムに設けられる機器、及び、管理システムに設けられる管理装置に関する。
【背景技術】
【０００２】
近年、機器と、機器を管理する管理装置とを有する管理システムが提案されている（例えば、特許文献１）。機器は、例えば、エアーコンディショナ、照明装置などの家電機器、及び、太陽電池、蓄電池、燃料発電装置などの分散電源である。管理装置は、例えば、ＨＥＭＳ（Ｈｏｍｅ  Ｅｎｅｒｇｙ  Ｍａｎａｇｅｍｅｎｔ  Ｓｙｓｔｅｍ）、ＳＥＭＳ（Ｓｔｏｒｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）などと称される。
【０００３】
上述した管理システムの普及には、機器と管理装置との間の通信規格を共通化することが効果的であり、このような通信規格の共通化が試みられている。
【先行技術文献】
【特許文献】
【０００４】
【特許文献１】特開２０１０−１２８８１０号公報
【発明の概要】
【発明が解決しようとする課題】
【０００５】
ところで、機器と管理装置との間の通信規格を共通化するにあたっては、機器と管理装置との間で、どのような情報を送信するか検討が必要となっている。
【０００６】
そこで、本発明は、上述した課題を解決するためになされたものであり、機器と管理装置との間で適切な情報を送受信することを可能とする管理システム、管理方法、機器及び管理装置を提供することを目的とする。
【課題を解決するための手段】
【０００７】
第１の特徴は、機器と管理装置とを備える管理システムに関する。前記管理装置は、前記機器の動作を指示する第１コマンドを前記機器に送信し、前記機器の状態を要求する第２コマンドを前記機器に送信する送信部を備える。前記機器は、前記第１コマンドに従って、前記機器の動作を制御する制御部と、前記第２コマンドに応じて、前記機器の状態を示すプロパティを含む応答コマンドを前記管理装置に送信する送信部とを備える。前記第１コマンド及び前記第２コマンドのプロパティは、前記機器の動作によって変化し得る変数を示す変数プロパティを含む。前記制御部は、前記第１コマンドで指示された動作が完了するまで、前記変数プロパティによって示される変数を変更せずに維持する。前記機器に設けられた前記送信部は、前記第１コマンドに従って動作しているか否かを特定する特定値を前記変数プロパティとして含む前記応答コマンドを送信する。
【０００８】
第２の特徴は、管理方法に関する。前記管理方法は、管理装置から機器に対して、前記機器の動作を指示する第１コマンドを送信するステップＡと、前記機器が前記第１コマンドに従って、前記機器の動作を制御するステップＢと、前記管理装置から前記機器に対して、前記機器の状態を要求する第２コマンドを送信するステップＣと、前記機器から前記管理装置に対して、前記第２コマンドに応じて、前記機器の状態を示すプロパティを含む応答コマンドを送信するステップＤとを備える。前記第１コマンド及び前記第２コマンドのプロパティは、前記機器の動作によって変化し得る変数を示す変数プロパティを含む。前記ステップＢは、前記第１コマンドで指示された動作が完了するまで、前記変数プロパティによって示される変数を変更せずに維持するステップを含む。前記ステップＤは、前記第１コマンドに従って動作しているか否かを特定する特定値を前記変数プロパティとして含む前記応答コマンドを送信するステップを含む。
【０００９】
第３の特徴は、管理装置によって管理される機器に関する。前記機器は、前記管理装置から受信する第１コマンドに従って、前記機器の動作を制御する制御部と、前記管理装置から受信する第２コマンドに応じて、前記機器の状態を示すプロパティを含む応答コマンドを前記管理装置に送信する送信部とを備える。前記第１コマンド及び前記第２コマンドのプロパティは、前記機器の動作によって変化し得る変数を示す変数プロパティを含む。前記制御部は、前記第１コマンドで指示された動作が完了するまで、前記変数プロパティによって示される変数を変更せずに維持する。前記送信部は、前記第１コマンドに従って動作しているか否かを特定する特定値を前記変数プロパティとして含む前記応答コマンドを送信する。
【００１０】
第４の特徴は、機器を管理する管理装置に関する。前記管理装置は、前記機器の動作を指示する第１コマンドを前記機器に送信し、前記機器の状態を要求する第２コマンドを前記機器に送信する送信部と、前記第２コマンドに対する応答として、前記機器の状態を示すプロパティを含む応答コマンドを前記機器から受信する受信部とを備える。前記第１コマンド及び前記第２コマンドのプロパティは、前記機器の動作によって変化し得る変数を示す変数プロパティを含む。前記変数プロパティによって示される変数は、前記第１コマンドで指示された動作が完了するまで変更されずに維持される。前記受信部は、前記第１コマンドに従って動作しているか否かを特定する特定値を前記変数プロパティとして含む前記応答コマンドを受信する。
【発明の効果】
【００１１】
本発明の一実施形態によれば、機器と管理装置との間で適切な情報を送受信することを可能とする管理システム、管理方法、機器及び管理装置を提供することができる。
【図面の簡単な説明】
【００１２】
【図１】図１は、実施形態に係る管理システム１を示す図である。
【図２】図２は、実施形態に係る通信装置１３２を示す図である。
【図３】図３は、実施形態に係るＥＭＳ１６０を示す図である。
【図４】図４は、実施形態に係るＳＥＴコマンドの一例を示す図である。
【図５】図５は、実施形態に係るＳＥＴ応答コマンドの一例を示す図である。
【図６】図６は、実施形態に係るＳＥＴコマンドの一例を示す図である。
【図７】図７は、実施形態に係るＳＥＴ応答コマンドの一例を示す図である。
【図８】図８は、実施形態に係る管理方法を示すシーケンス図である。
【図９】図９は、実施形態に係る管理方法を示すシーケンス図である。
【図１０】図１０は、実施形態に係る管理方法を示すシーケンス図である。
【図１１】図１１は、変更例１に係る管理方法を示すシーケンス図である。
【図１２】図１２は、変更例１に係る管理方法を示すシーケンス図である。
【発明を実施するための形態】
【００１３】
以下において、実施形態について図面を参照しながら説明する。以下の図面の記載において、同一又は類似の部分には、同一又は類似の符号を付している。
【００１４】
但し、図面は模式的なものであり、各寸法の比率などは現実のものとは異なる場合がある。従って、具体的な寸法などは以下の説明を参酌して判断すべきである。図面相互間においても互いの寸法の関係や比率が異なる部分が含まれている。
【００１５】
［実施形態］
（管理システム）
以下において、実施形態に係る管理システムについて説明する。図１に示すように、管理システム１は、需要家施設１００と、外部サーバ４００とを有する。需要家施設１００は、ルータ２００を有する。ルータ２００は、ネットワーク３００を介して外部サーバ４００と接続される。ルータ２００は、ローカルエリアネットワークを構成しており、各装置（例えば、ＰＣＳ１３０の通信装置１３２、負荷１５０、ＥＭＳ１６０及び表示装置１７０など）と接続される。図１において、実線は電力線を示しており、点線は信号線を示している。なお、これに限定されるものではなく、電力線で信号を送信してもよい。
【００１６】
需要家施設１００は、太陽電池１１０と、蓄電池１２０と、ＰＣＳ１３０と、分電盤１４０と、負荷１５０と、ＥＭＳ１６０と、表示装置１７０とを有する。
【００１７】
太陽電池１１０は、受光に応じて発電を行う装置である。太陽電池１１０は、発電されたＤＣ電力を出力する。太陽電池１１０の発電量は、太陽電池１１０に照射される日射量に応じて変化する。実施形態では、太陽電池１１０は、事業者から指定される出力抑制に基づいて出力抑制され得る分散電源の一例であるが、これに限定されず、蓄電池１２０は、事業者から指定される出力抑制に基づいて出力抑制され得る分散電源であってもよい。
【００１８】
蓄電池１２０は、電力を蓄積する装置である。蓄電池１２０は、蓄積されたＤＣ電力を出力する。実施形態では、蓄電池１２０は、事業者から指定される出力抑制に基づいて出力抑制され得ない分散電源の一例である。
【００１９】
ＰＣＳ１３０は、分散電源からの出力電力を変換する電力変換装置（ＰＣＳ；Ｐｏｗｅｒ  Ｃｏｎｄｉｔｉｏｎｉｎｇ  Ｓｙｓｔｅｍ）の一例である。実施形態では、ＰＣＳ１３０は、変換装置１３１及び通信装置１３２を有する。
【００２０】
変換装置１３１は、太陽電池１１０からのＤＣ電力をＡＣ電力に変換するとともに、蓄電池１２０からのＤＣ電力をＡＣ電力に変換する。さらに、変換装置１３１は、電力系統１０からのＡＣ電力をＤＣ電力に変換する。変換装置１３１は、電力系統１０に接続された主幹電力線１０Ｌ（ここでは、主幹電力線１０ＬＡ及び主幹電力線１０ＬＢ）に第１分電盤１４０Ａを介して接続されるとともに、太陽電池１１０及び蓄電池１２０の双方に接続される。主幹電力線１０ＬＡは、電力系統１０と第１分電盤１４０Ａとを接続する電力線であり、主幹電力線１０ＬＢは、第１分電盤１４０Ａと第２分電盤１４０Ｂとを接続する電力線である。なお、本実施形態では、変換装置１３１は太陽電池１１０および蓄電池１２０に接続されたハイブリッド型の電力変換装置について説明するが、太陽電池１１０および蓄電池１２０のそれぞれに電力変換装置が接続されるように構成してもよい。
【００２１】
通信装置１３２は、変換装置１３１と接続されており、変換装置１３１への各種メッセージを受信するとともに、変換装置１３１からの各種メッセージを送信する。通信装置１３２と変換装置１３１との間の通信では、ＰＣＳ１３０に適用されるプロトコル（例えば、独自プロトコル）が用いられる。
【００２２】
実施形態では、通信装置１３２は、有線又は無線によってルータ２００と接続される。通信装置１３２は、ルータ２００を介して外部サーバ４００と接続されており、分散電源の出力抑制を指示する出力抑制メッセージを外部サーバ４００から受信する。第２に、通信装置１３２は、ルータ２００を介してＥＭＳ１６０と接続されており、所定フォーマットを有する所定コマンドの通信をＥＭＳ１６０と行う。所定フォーマットは、特に限定されるものではなく、例えば、ＥＣＨＯＮＥＴ  Ｌｉｔｅ方式、ＳＥＰ２．０方式又はＫＮＸ方式等を用いることができる。
【００２３】
所定フォーマットは、例えば、ＥＣＨＯＮＥＴ  Ｌｉｔｅ方式に準拠するフォーマットについて説明する。このようなケースにおいて、所定コマンドは、例えば、要求コマンド、要求コマンドに対する応答である要求応答コマンド、又は情報通知コマンドに大別することができる。要求コマンドは、例えば、ＳＥＴコマンド又はＧＥＴコマンドなどである。要求応答コマンドは、例えば、ＳＥＴコマンドに対する応答であるＳＥＴ応答コマンド、ＧＥＴコマンドに対する応答であるＧＥＴ応答コマンドなどである。情報通知コマンドは、例えば、ＩＮＦコマンドなどである。
【００２４】
ＳＥＴコマンドは、ＰＣＳ１３０に対する設定又は操作を指示するプロパティを含むコマンドである。ＳＥＴ応答コマンドは、ＳＥＴコマンドを受信した旨を示すコマンドである。ＧＥＴコマンドは、ＰＣＳ１３０の状態を示すプロパティを含み、ＰＣＳ１３０の状態を取得するためのコマンドである。ＧＥＴ応答コマンドは、ＰＣＳ１３０の状態を示すプロパティを含み、ＧＥＴコマンドで要求された情報を含むコマンドである。ＩＮＦコマンドは、ＰＣＳ１３０の状態を示すプロパティを含み、ＰＣＳ１３０の状態を通知するためのコマンドである。
【００２５】
分電盤１４０は、主幹電力線１０Ｌに接続される。分電盤１４０は、第１分電盤１４０Ａ及び第２分電盤１４０Ｂを有する。第１分電盤１４０Ａは、主幹電力線１０ＬＡを介して電力系統１０に接続されているとともに、変換装置１３１を介して太陽電池１１０及び蓄電池１２０と接続されている。また、第１分電盤１４０Ａは、変換装置１３１から出力される電力及び電力系統１０から供給される電力を制御して主幹電力線１０ＬＢに流す。主幹電力線１０ＬＢから流れてきた電力は、第２分電盤１４０Ｂによって、各機器（ここでは、負荷１５０及びＥＭＳ１６０）に分配される。
【００２６】
負荷１５０は、電力線を介して供給される電力を消費する装置である。例えば、負荷１５０は、エアーコンディショナ、照明装置、冷蔵庫、テレビなどの装置を含む。負荷１５０は、単数の装置であってもよく、複数の装置を含んでもよい。
【００２７】
ＥＭＳ１６０は、需要家施設１００における電力を示す電力情報を管理する装置（ＥＭＳ；Ｅｎｅｒｇｙ  Ｍａｎａｇｅｍｅｎｔ  Ｓｙｓｔｅｍ）である。需要家施設１００における電力とは、需要家施設１００内を流れる電力、需要家施設１００が買電する電力、又は需要家施設１００から売電する電力等を指すものである。従って、例えば、ＥＭＳ１６０は、少なくともＰＣＳ１３０を管理する。
【００２８】
ＥＭＳ１６０は、太陽電池１１０の発電量、蓄電池１２０の充電量及び蓄電池１２０の放電量を制御してもよい。ＥＭＳ１６０は、分電盤１４０と一体として構成されていてもよい。ＥＭＳ１６０は、ネットワーク３００に接続された装置であり、ＥＭＳ１６０が有する機能は、ネットワーク３００を介したクラウドサービスによって提供されてもよい。
【００２９】
実施形態では、ＥＭＳ１６０は、ルータ２００を介して各機器（例えば、ＰＣＳ１３０の通信装置１３２及び負荷１５０）と接続されており、所定フォーマットを有する所定コマンドの通信を各機器と行う。
【００３０】
ＥＭＳ１６０は、ルータ２００を介して表示装置１７０と接続されており、表示装置１７０と通信を行う。ＥＭＳ１６０は、所定フォーマットを有する所定コマンドの通信を表示装置１７０と行ってもよい。上述したように、所定フォーマットは、例えば、ＥＣＨＯＮＥＴ  Ｌｉｔｅ方式に準拠するフォーマットである。
【００３１】
表示装置１７０は、需要家施設１００における電力を示す電力情報を表示する。表示装置１７０は、例えば、スマートフォン、タブレット、デジタルテレビ又は専用端末である。表示装置１７０は、有線又は無線によってＥＭＳ１６０と接続されており、ＥＭＳ１６０と通信を行う。表示装置１７０は、所定フォーマットを有する所定コマンドの通信をＥＭＳ１６０と行ってもよい。表示装置１７０は、電力情報の表示に必要なデータをＥＭＳ１６０から受信する。
【００３２】
ネットワーク３００は、ＥＭＳ１６０及び外部サーバ４００を接続する通信網である。ネットワーク３００は、インターネットであってもよい。ネットワーク３００は、移動体通信網を含んでもよい。また、ネットワーク３００は、専用通信回線であってもよいし、一般通信回線であってもよい。例えば、太陽電池１１０の出力が所定の出力以上である場合には、ネットワーク３００として専用通信回線を用いることにより、より確実に出力抑制を実施することができる。
【００３３】
外部サーバ４００は、発電事業者、送配電事業者或いは小売事業者などの事業者によって管理されるサーバである。例えば、事業者は、分散電源の出力抑制を指定する。具体的には、外部サーバ４００は、分散電源の出力抑制を指示する出力抑制メッセージを送信する。外部サーバ４００は、電力系統１０から需要家施設１００に対する潮流量の抑制を指示するコマンド（ＤＲ；Ｄｅｍａｎｄ  Ｒｅｓｐｏｎｓｅ）を送信してもよい。
【００３４】
出力抑制メッセージは、分散電源（ここでは、太陽電池１１０）の出力抑制のレベルを示す目標出力抑制レベルを含む。目標出力抑制レベルは、分散電源を制御するＰＣＳの出力能力（例えば、定格出力）として認定を受けた出力（以下、設備認定出力）に応じて定められる。目標出力抑制レベルは、設備認定出力に応じて定められる絶対値（例えば、○○ｋＷ）で表されてもよく、設備認定出力に対する相対値（例えば、○○ｋＷの減少）で表されてもよく、設備認定出力に対する抑制割合（例えば、○○％）で表されてもよい。なお、設備認定出力で説明したが、設備認定容量［ｋＷｈ］であってもよい。
【００３５】
分散電源の出力能力とＰＣＳの出力能力とが異なる場合には、設備認定出力は、これらの出力能力のうち、小さい方の出力能力に設定される。複数のＰＣＳが設置されるケースにおいては、設備認定出力は、複数のＰＣＳの出力能力の合計である。
【００３６】
実施形態では、出力抑制メッセージは、分散電源の出力抑制のスケジュールを示すカレンダー情報を含む。カレンダー情報において、分散電源の出力抑制のスケジュールは３０分単位で設定可能である。カレンダー情報は、１日分のスケジュールを含んでもよく、１月分のスケジュールを含んでもよく、１年分のスケジュールを含んでもよい。
【００３７】
実施形態では、分散電源の出力抑制が行われる最大期間として所定期間が定められていてもよい。所定時間は、例えば、１年間における日数であってもよく（日数ルール）、１年間における累計時間であってもよい（累計時間ルール）。より具体的に、所定期間は、例えば、１年間において３０日であってもよく（３０日ルール）、１年間において３６０時間であってもよい（３６０時間ルール）。但し、所定期間が定められていなくてもよい（指定ルール）。これらのルールは、出力抑制メッセージに従った分散電源の出力抑制の種別である。
【００３８】
（適用シーン）
ところで、上述したプロパティは、蓄電池の充電量設定値や放電量設定値などのように、機器の動作によって変化し得る変数を示すプロパティ（以下、変数プロパティ）を含む。以下においては、機器としてＰＣＳ１３０を主として例示する。
【００３９】
このような前提下において、第１コマンド（例えば、ＳＥＴコマンド）の送信後に第２コマンド（例えば、ＧＥＴコマンド）を送信することによって、ＥＭＳ１６０がＰＣＳ１３０から変数プロパティを取得するケースについて考える。このようなケースにおいて、ＰＣＳ１３０の動作によって変化した後の変数をＰＣＳ１３０が第２コマンドに応じて送信すると、ＥＭＳ１６０は、自身が送信した第１コマンドに従ってＰＣＳ１３０が動作しているのか把握できなくなってしまう。従って、ＰＣＳ１３０は、第１コマンドで指示された動作が完了するまで、変数プロパティによって示される変数を変更しないように構成されている。
【００４０】
しかしながら、このようなＰＣＳ１３０の処理においては、変数が変更されないため、第２コマンドに対する応答コマンドをＥＭＳ１６０が受信しても、第１コマンドに従ってＰＣＳ１３０が動作しているのか否かをＥＭＳ１６０が把握することができない事象を引き起こす。
【００４１】
このような課題に対して、実施形態では、以下の管理が行われる。ＥＭＳ１６０は、ＰＣＳ１３０の動作を指示する第１コマンドをＰＣＳ１３０に送信し、ＰＣＳ１３０の状態を要求する第２コマンドをＰＣＳ１３０に送信する。ＰＣＳ１３０は、第１コマンドに従って、ＰＣＳ１３０の動作を制御する。ＰＣＳ１３０は、第２コマンドに応じて、ＰＣＳ１３０の状態を示すプロパティを含む応答コマンド（例えば、ＧＥＴ応答コマンド）をＥＭＳ１６０に送信する。第１コマンド及び第２コマンドのプロパティは、ＰＣＳ１３０の動作によって変化し得る変数を示す変数プロパティを含む。ＰＣＳ１３０は、第１コマンドで指示された動作が完了するまで、変数プロパティによって示される変数を変更せずに維持する。ＰＣＳ１３０は、第１コマンドに従って動作しているか否かを特定する特定値を変数プロパティとして含む応答コマンドを送信する。この応答コマンドは、ＳＥＴ応答コマンド及びＧＥＴ応答コマンドを含む要求応答コマンド、又は、ＩＮＦコマンドを含む情報通知コマンドである。
【００４２】
ここで、特定値は、第１コマンドで指示された動作が完了した旨を示す第１特定値を含んでもよい。すなわち、ＰＣＳ１３０は、第１コマンドで指示された動作が完了した場合に、第１特定値を示す変数プロパティを含む第２コマンドをＥＭＳ１６０に送信する。第１特定値は、第１コマンドに含まれる変数プロパティによって示され得る値と異なっていればよい。第１特定値は、動作完了と対応付けられた値であってもよく、ゼロであってもよい。
【００４３】
特定値は、第１コマンドで指示された動作がユーザによって解除された旨を示す第２特定値を含んでもよい。ＰＣＳ１３０は、第１コマンドで指示された動作がユーザによって解除された場合に、第２特定値を示す変数プロパティを含む第２コマンドをＥＭＳ１６０に送信する。第２特定値は、第１コマンドに含まれる変数プロパティによって示され得る値と異なっていればよい。第２特定値は、動作解除と対応付けられた値であってもよく、ゼロであってもよい。
【００４４】
特定値は、第１コマンドで指示された動作が行われていない旨又は第１コマンドで指示された動作が中断された旨を示す第３特定値を含んでもよい。ＰＣＳ１３０は、第１コマンドで指示された動作が行われていない場合に、又は、第１コマンドで指示された動作が中断された場合に、第３特定値を示す変数プロパティを含む第２コマンドをＥＭＳ１６０に送信する。第３特定値は、第１コマンドに含まれる変数プロパティによって示され得る値と異なっていればよい。第３特定値は、動作不実施又は動作中断と対応付けられた値であってもよく、ゼロであってもよい。
【００４５】
ここで、第１特定値は、第２特定値及び第３特定値と異なった値であってもよい。但し、第１特定値は、第２特定値及び第３特定値と同じ値であってもよい。同様に、第２特定値は、第１特定値及び第３特定値と異なった値であってもよい。但し、第２特定値は、第１特定値及び第３特定値と同じ値であってもよい。同様に、第３特定値は、第１特定値及び第２特定値と異なった値であってもよい。但し、第３特定値は、第１特定値及び第２特定値と同じ値であってもよい。
【００４６】
（通信装置）
以下において、実施形態に係る通信装置について説明する。図２に示すように、通信装置１３２は、第１通信部１３２Ａと、第２通信部１３２Ｂと、インタフェース１３２Ｃと、制御部１３２Ｄとを有する。ここで、通信装置１３２（すなわち、ＰＣＳ１３０）は機器の一例である。
【００４７】
第１通信部１３２Ａは、分散電源の出力抑制を指示する出力抑制メッセージを外部サーバ４００から受信する。実施形態では、第１通信部１３２Ａは、ＥＭＳ１６０を経由せずに、出力抑制メッセージを外部サーバ４００から受信する。
【００４８】
第２通信部１３２Ｂは、所定フォーマットを有する所定コマンドの通信をＥＭＳ１６０と行う。上述したように、所定フォーマットは、例えば、ＥＣＨＯＮＥＴ  Ｌｉｔｅ方式に準拠するフォーマットである。ここで、通信装置１３２（第２通信部１３２Ｂ）とＥＭＳ１６０との通信で用いられる所定フォーマットは、通信装置１３２（第１通信部１３２Ａ）と外部サーバ４００との通信で用いられるフォーマットと異なってもよい。また、第２通信部１３２Ｂ（第２通信部１３２Ｂ）とＥＭＳ１６０との通信で用いられる所定フォーマットは、通信装置１３２（インタフェース１３２Ｃ）と変換装置１３１との通信で用いられるフォーマットと異なってもよい。
【００４９】
インタフェース１３２Ｃは、変換装置１３１とのインタフェースである。インタフェース１３２Ｃは、有線のインタフェースであってもよく、無線のインタフェースであってもよい。通信装置１３２と変換装置１３１との間の通信では、ＰＣＳ１３０に適用されるプロトコル（例えば、独自プロトコル）が用いられる。
【００５０】
制御部１３２Ｄは、メモリ及びＣＰＵによって構成されており、通信装置１３２を制御する。例えば、制御部１３２Ｄは、インタフェース１３２Ｃを用いて変換装置１３１を制御することによって、出力抑制メッセージに従って分散電源の出力を制御する。制御部１３２Ｄは、インタフェース１３２Ｃを用いて、変換装置１３１の状態（例えば、太陽電池１１０の発電量、蓄電池１２０の蓄電量、蓄電池１２０の放電量）を変換装置１３１から取得する。制御部１３２Ｄは、ＥＭＳ１６０から受信するコマンドに基づいて変換装置１３１を制御するためのコマンドを生成し、インタフェース１３２Ｃを用いてコマンドを変換装置１３１に出力する。
【００５１】
（管理装置）
以下において、実施形態に係る管理装置について説明する。図３に示すように、ＥＭＳ１６０は、通信部１６１と、制御部１６２とを有する。
【００５２】
通信部１６１は、所定フォーマットを有する所定コマンドの通信を通信装置１３２と行う。上述したように、所定フォーマットは、例えば、ＥＣＨＯＮＥＴ  Ｌｉｔｅ方式に準拠するフォーマットである。
【００５３】
制御部１６２は、メモリ及びＣＰＵによって構成されており、ＥＭＳ１６０を制御する。制御部１６２は、太陽電池１１０の発電量、蓄電池１２０の充電量及び蓄電池１２０の放電量を制御してもよい。
【００５４】
（メッセージフォーマット）
以下において、実施形態に係るメッセージフォーマットについて説明する。ここでは、所定フォーマットがＥＣＨＯＮＥＴ  Ｌｉｔｅ方式に準拠するフォーマットであるケースを例示する。
【００５５】
図４に示すように、ＳＥＴコマンドＭ５１０は、ヘッダＭ５１１と、コードＭ５１２と、対象プロパティＭ５１３とを含む。実施形態では、ＳＥＴコマンドＭ５１０は、ＰＣＳ１３０の動作を指示する第１コマンドの一例であり、ＥＭＳ１６０からＰＣＳ１３０に送信されるコマンドである。
【００５６】
ヘッダＭ５１１は、ＳＥＴコマンドＭ５１０の宛先等を示す情報である。コードＭ５１２は、コードＭ５１２を含むメッセージの種別を示す情報である。ここでは、コードＭ５１２は、コードＭ５１２を含むメッセージがＳＥＴコマンドであることを示す情報である。
【００５７】
対象プロパティＭ５１３は、ＥＭＳ１６０がＰＣＳ１３０に指示する動作を示すプロパティを含む。このようなプロパティは、例えば、ＰＣＳ１３０の動作によって変化し得る変数を示す変数プロパティを含む。変数プロパティとしては、蓄電池１２０の充放電量の設定値を示す設定値プロパティが挙げられる。充放電量の設定値は、充電量の設定値又は放電量の設定値を総称するものであり、いずれか１つであってもよいし、両方であってもよい。充電量の設定値又は放電量の設定値は、電力の種別を含む情報が含まれていてもよい。電力の種別とは、交流（Ａｌｔｅｒｎａｔｉｎｇ  Ｃｕｒｒｅｎｔ；ＡＣ）又は直流（Ｄｉｒｅｃｔ  Ｃｕｒｒｅｎｔ；ＤＣ）である。
【００５８】
設定値プロパティは、例えば、充電又は放電の電力量（Ｗｈ）を指定するプロパティであってもよく、充電又は放電の容量（Ａｈ）を指定するプロパティであってもよい。なお、設定値プロパティで指定する設定値は、充電又は放電の瞬時電力（Ｗ）であってもよい。
【００５９】
図５に示すように、ＳＥＴ応答コマンドＭ５２０は、ヘッダＭ５２１と、コードＭ５２２と、応答内容Ｍ５２３とを含む。実施形態では、ＳＥＴ応答コマンドＭ５２０は、ＥＭＳ１６０から受信されるコマンドに応じて、ＰＣＳ１３０からＥＭＳ１６０に送信されるコマンドの一例である。
【００６０】
ヘッダＭ５２１は、ＳＥＴ応答コマンドＭ５２０の宛先等を示す情報である。コードＭ５２２は、コードＭ５２２を含むメッセージの種別を示す情報である。ここでは、コードＭ５２２は、コードＭ５２２を含むメッセージがＳＥＴ応答コマンドであることを示す情報である。応答内容Ｍ５２３は、ＳＥＴコマンドを受信したことを示す情報を含む。このような情報は、ＳＥＴコマンドに含まれるプロパティのコピーであってもよいし、肯定応答（Ａｃｋｎｏｗｌｅｄｇｅｍｅｎｔ；ＡＣＫ）であってもよい。またこのような情報は、これに限定されず、一部のデータだけを正しく受け取った旨を意図する応答（Ｓｅｌｅｃｔｉｖｅ  ＡＣＫ）であってもよい。
【００６１】
図６に示すように、ＧＥＴコマンドＭ６１０は、ヘッダＭ６１１と、コードＭ６１２と、対象プロパティＭ６１３とを含む。実施形態では、ＧＥＴコマンドＭ６１０は、ＰＣＳ１３０の状態を要求する第２コマンドの一例であり、ＥＭＳ１６０からＰＣＳ１３０に送信されるコマンドの一例である。
【００６２】
ヘッダＭ６１１は、ＧＥＴコマンドＭ６１０の宛先等を示す情報である。コードＭ６１２は、コードＭ６１２を含むメッセージの種別を示す情報である。ここでは、コードＭ６１２は、コードＭ６１２を含むメッセージがＧＥＴコマンドであることを示す情報である。対象プロパティＭ６１３は、ＥＭＳ１６０が知りたいプロパティを含む。このようなプロパティは、例えば、ＳＥＴコマンドと同様に、変数プロパティを含む。変数プロパティとしては、ＳＥＴコマンドと同様に、蓄電池１２０の充放電量の設定値を示す設定値プロパティが挙げられる。
【００６３】
図７に示すように、ＧＥＴ応答コマンドＭ６２０は、ヘッダＭ６２１と、コードＭ６２２と、応答内容Ｍ６２３とを含む。実施形態では、ＧＥＴ応答コマンドＭ６２０は、ＥＭＳ１６０から受信されるコマンドに応じて、ＰＣＳ１３０からＥＭＳ１６０に送信されるコマンドの一例である。
【００６４】
ヘッダＭ６２１は、ＧＥＴ応答コマンドＭ６２０の宛先等を示す情報である。コードＭ６２２は、コードＭ６２２を含むメッセージの種別を示す情報である。ここでは、コードＭ６２２は、コードＭ６２２を含むメッセージがＧＥＴ応答コマンドであることを示す情報である。応答内容Ｍ６２３は、ＧＥＴコマンドによって要求されたプロパティを含む。このようなプロパティは、例えば、ＳＥＴコマンド及びＧＥＴコマンドと同様に、変数プロパティを含む。変数プロパティとしては、ＳＥＴコマンド及びＧＥＴコマンドと同様に、蓄電池１２０の充放電量の設定値を示す設定値プロパティが挙げられる。
【００６５】
ここで、ＧＥＴ応答コマンドは、上述したように、ＳＥＴコマンドに従って動作しているか否かを特定する特定値を変数プロパティとして含む。
【００６６】
（管理方法）
以下において、実施形態に係る管理方法について説明する。ここでは、ＰＣＳ１３０（通信装置１３２）とＥＭＳ１６０との通信で用いられる所定フォーマットがＥＣＨＯＮＥＴ  Ｌｉｔｅ方式に準拠するフォーマットであるケースを例示する。ＳＥＴコマンド及びＧＥＴコマンドが設定値プロパティを含むケースについて例示する。
【００６７】
第１に、ＳＥＴコマンドで指示された動作をＰＣＳ１３０が開始するとともに、ＳＥＴコマンドで指示された動作をＰＣＳ１３０が完了するケースについて、図８を参照しながら説明する。
【００６８】
ステップＳ１１において、ＥＭＳ１６０は、設定値プロパティを含むＳＥＴコマンドをＰＣＳ１３０に送信する。
【００６９】
ステップＳ１２において、ＰＣＳ１３０は、ＳＥＴコマンドに対するＳＥＴ応答コマンドをＥＭＳ１６０に送信する。
【００７０】
ステップＳ１３において、ＰＣＳ１３０は、ＳＥＴコマンドで指示された動作を開始する。ここでは、ＳＥＴコマンドが設定値プロパティを含んでおり、ＰＣＳ１３０は、蓄電池１２０の充放電の制御を開始する。例えば、設定値プロパティが充電量を指示するプロパティである場合には、ＰＣＳ１３０は蓄電池１２０の充電を開始する。一方で、設定値プロパティが放電量を指示するプロパティである場合には、ＰＣＳ１３０は蓄電池１２０の放電を開始する。但し、ＰＣＳ１３０は、ＳＥＴコマンドで指示された蓄電池１２０の充放電の制御が完了するまで、ＳＥＴコマンドに含まれる変数プロパティによって示される変数を変更せずに維持する。
【００７１】
ステップＳ１４において、ＥＭＳ１６０は、設定値プロパティを含むＧＥＴコマンドをＰＣＳ１３０に送信する。
【００７２】
ステップＳ１５において、ＰＣＳ１３０は、ＧＥＴコマンドに対するＧＥＴ応答コマンドをＥＭＳ１６０に送信する。ここで、ＳＥＴコマンドに含まれる変数プロパティによって示される変数が変更されずに維持されるため、ＰＣＳ１３０は、ＳＥＴコマンドによって示される変数のコピーを変数プロパティとして含むＧＥＴ応答コマンドを送信する。これによって、ＥＭＳ１６０は、ステップＳ１１で送信したＳＥＴコマンドをＰＣＳ１３０が受け付けた旨を把握することができる。但し、ＥＭＳ１６０は、ステップＳ１１で送信したＳＥＴコマンドに従ってＰＣＳ１３０が実際に動作しているか否かを把握することは難しい。
【００７３】
ステップＳ１６において、ＰＣＳ１３０は、ＳＥＴコマンドで指示された動作を完了する。ここでは、ＰＣＳ１３０は、蓄電池１２０の充放電の制御を完了する。ＳＥＴコマンドで指示された蓄電池１２０の充放電の制御が完了するため、ＳＥＴコマンドに含まれる変数プロパティによって示される変数をＰＣＳ１３０が変更してもよい。ここで、ＰＣＳ１３０は、ＳＥＴコマンドで指示された動作の完了に応じて、充放電の制御状態から待機状態に遷移する。
【００７４】
ステップＳ１７において、ＥＭＳ１６０は、設定値プロパティを含むＧＥＴコマンドをＰＣＳ１３０に送信する。
【００７５】
ステップＳ１８において、ＰＣＳ１３０は、ＧＥＴコマンドに対するＧＥＴ応答コマンドをＥＭＳ１６０に送信する。ＰＣＳ１３０は、ＳＥＴコマンドで指示された動作が完了した旨を示す第１特定値を示す変数プロパティを含むＧＥＴ応答コマンドを送信する。第１特定値は、ＳＥＴコマンドに含まれる変数プロパティによって示され得る値と異なっていればよい。第１特定値は、動作完了と対応付けられた値であってもよく、ゼロであってもよい。
【００７６】
第２に、ＳＥＴコマンドで指示された動作をＰＣＳ１３０が開始するとともに、ＳＥＴコマンドで指示された動作が解除又は中断されるケースについて、図９を参照しながら説明する。図９において、図８と同様の処理に同様のステップ番号を付している。ステップＳ１１〜ステップＳ１３の処理は図８と同様であるため、これらの処理の説明については省略する。
【００７７】
ステップＳ２１において、ＳＥＴコマンドで指示された動作がユーザによって解除される。例えば、動作解除は、上述した事業者の要求に応じてユーザがＳＥＴコマンドで指示された動作を解除する事象であってもよい。或いは、ＳＥＴコマンドで指示された動作が中断する。例えば、動作の中断は、設定値プロパティが充電量を指示するプロパティである場合に、蓄電池１２０の蓄電残量が所定閾値を上回る事象であてもよい。或いは、動作の中断は、設定値プロパティが放電量を指示するプロパティである場合に、蓄電池１２０の蓄電残量が閾値を下回る事象であってもよい。或いは、動作の中断は、蓄電池１２０及びＰＣＳ１３０のいずれか一方の故障又はメンテナンスであってもよい。動作の中断は、電力系統１０の停電であってもよい。或いは、動作の中断は、ＳＥＴコマンドで指定された動作が上述した事業者によって解除される事象であってもよい。
【００７８】
ステップＳ２２において、ＥＭＳ１６０は、設定値プロパティを含むＧＥＴコマンドをＰＣＳ１３０に送信する。
【００７９】
ステップＳ２３において、ＰＣＳ１３０は、ＧＥＴコマンドに対するＧＥＴ応答コマンドをＥＭＳ１６０に送信する。ＰＣＳ１３０は、ＳＥＴコマンドで指示された動作が解除された旨を示す第２特定値を示す変数プロパティを含むＧＥＴ応答コマンドを送信する。第２特定値は、ＳＥＴコマンドに含まれる変数プロパティによって示され得る値と異なっていればよい。第２特定値は、動作解除と対応付けられた値であってもよく、ゼロであってもよい。或いは、ＰＣＳ１３０は、ＳＥＴコマンドで指示された動作が中断された旨を示す第３特定値を示す変数プロパティを含むＧＥＴ応答コマンドを送信する。第３特定値は、ＳＥＴコマンドに含まれる変数プロパティによって示され得る値と異なっていればよい。第３特定値は、動作中断と対応付けられた値であってもよく、ゼロであってもよい。
【００８０】
第３に、ＳＥＴコマンドで指示された動作をＰＣＳ１３０が行わないケースについて、図１０を参照しながら説明する。図１０において、図９と同様の処理に同様のステップ番号を付している。図１０に示す処理は、ステップＳ１３及びステップＳ２１の処理が行われない点を除いて、図９の処理と同様である。
【００８１】
ステップＳ２３において、ＰＣＳ１３０は、図９と同様に、ＧＥＴコマンドに対するＧＥＴ応答コマンドをＥＭＳ１６０に送信する。但し、図１０において、ＰＣＳ１３０は、ＳＥＴコマンドで指示された動作が行われていない旨を示す第３特定値を示す変数プロパティを含むＧＥＴ応答コマンドを送信する。第３特定値は、ＳＥＴコマンドに含まれる変数プロパティによって示され得る値と異なっていればよい。第３特定値は、動作不実施と対応付けられた値であってもよく、ゼロであってもよい。
【００８２】
例えば、動作の不実施は、ＳＥＴコマンドで指定された動作がユーザによって制限されている事象であってもよい。或いは、動作の不実施は、ＳＥＴコマンドで指定された動作が上述した事業者によって制限されている事象であってもよい。或いは、動作不実施は、ＳＥＴコマンドを受信してから所定時間が経過しても動作を開始していない事象であってもよい。
【００８３】
（作用及び効果）
実施形態では、ＳＥＴコマンド及びＧＥＴコマンドのプロパティは、ＰＣＳ１３０の動作によって変化し得る変数を示す変数プロパティを含むケースにおいて、ＰＣＳ１３０は、ＳＥＴコマンドで指示された動作が完了するまで、変数プロパティによって示される変数を変更せずに維持する。ＰＣＳ１３０は、ＳＥＴコマンドに従って動作しているか否かを特定する特定値を変数プロパティとして含むＧＥＴ応答コマンドをＥＭＳ１６０に送信する。これによって、ＥＭＳ１６０は、ＧＥＴ応答コマンドに含まれる特定値に基づいて、ＳＥＴコマンドに従ってＰＣＳ１３０が実際に動作しているか否かを判断することができる。例えば、ＥＭＳ１６０は、動作完了、動作解除、動作中断又は動作不実施を判断することができる。
【００８４】
［変更例１］
以下において、実施形態の変更例１について説明する。以下においては、実施形態の変更例１について説明する。
【００８５】
変更例１では、第１コマンド（すなわち、ＳＥＴコマンド）は、蓄電池１２０の充放電量の設定値を示す設定値プロパティに加えて、蓄電池１２０の運転モードを示す運転モードプロパティを含むことが可能である。設定値プロパティは、運転モードプロパティを含む第１コマンドよりも前に送信される第１コマンドに含まれる。
【００８６】
このようなケースにおいて、ＰＣＳ１３０は、設定値プロパティを含む第１コマンドを受信した場合であっても、蓄電池１２０の充放電を開始せずに、運転モードプロパティを含む第１コマンドを受信した後において、運転モードプロパティに基づいて蓄電池１２０の充放電を制御する。
【００８７】
例えば、図１１に示すように、ステップＳ３１において、ＥＭＳ１６０は、設定値プロパティを含むＳＥＴコマンドをＰＣＳ１３０に送信する。
【００８８】
ステップＳ３２において、ＰＣＳ１３０は、ＳＥＴコマンドに対するＳＥＴ応答コマンドをＥＭＳ１６０に送信する。
【００８９】
ステップＳ３３において、ＰＣＳ１３０は、設定値プロパティを含むＳＥＴコマンドを受信しているが、蓄電池１２０の充放電を開始せずに待機する。
【００９０】
ステップＳ３４において、ＥＭＳ１６０は、運転モードプロパティを含むＳＥＴコマンドをＰＣＳ１３０に送信する。
【００９１】
ステップＳ３５において、ＰＣＳ１３０は、ＳＥＴコマンドに対するＳＥＴ応答コマンドをＥＭＳ１６０に送信する。
【００９２】
ステップＳ３６において、ＰＣＳ１３０は、運転モードプロパティに基づいて蓄電池１２０の充放電を制御する。ＰＣＳ１３０は、運転モードプロパティに基づいて、ステップＳ３１で受信する設定値プロパティを有効化する。有効化とは、設定値プロパティによって示される充放電量に従って蓄電池１２０の充放電を行うことである。
【００９３】
但し、運転モードプロパティが充電モードを示しているにもかかわらず、設定値プロパティが放電量を示しているケースのように、運転モードプロパティ及び設定値プロパティが矛盾するケースにおいて、ＰＣＳ１３０は設定値プロパティを有効化せずに無視してもよい。
【００９４】
［変更例２］
以下において、実施形態の変更例２について説明する。以下においては、実施形態の変更例２について説明する。
【００９５】
変更例２では、第１コマンド（すなわち、ＳＥＴコマンド）は、蓄電池１２０の充放電量の設定値を示す設定値プロパティに加えて、蓄電池１２０の運転モードを示す運転モードプロパティを含むことが可能である。設定値プロパティは、運転モードプロパティを含む第１コマンドに含まれる。
【００９６】
例えば、図１２に示すように、ステップ４１において、ＥＭＳ１６０は、運転モードプロパティ及び設定値プロパティを含むＳＥＴコマンドをＰＣＳ１３０に送信する。
【００９７】
ステップＳ４２において、ＰＣＳ１３０は、ＳＥＴコマンドに対するＳＥＴ応答コマンドをＥＭＳ１６０に送信する。
【００９８】
ステップＳ４３において、ＰＣＳ１３０は、運転モードプロパティに基づいて蓄電池１２０の充放電を制御する。さらにＰＣＳ１３０は、設定値プロパティによって示される充放電量に従って蓄電池１２０の充放電を行う。
【００９９】
但し、運転モードプロパティが充電モードを示しているにもかかわらず、設定値プロパティが放電量を示しているケースのように、運転モードプロパティ及び設定値プロパティが矛盾するケースにおいて、ＰＣＳ１３０は、設定値プロパティを無視するとともに、運転モードプロパティに基づいて蓄電池１２０の充放電を制御してもよい。
【０１００】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０１】
実施形態では、通信装置１３２とＥＭＳ１６０との通信で用いられる所定フォーマットがＥＣＨＯＮＥＴ  Ｌｉｔｅ方式に準拠するフォーマットであるケースについて説明した。しかしながら、実施形態はこれに限定されるものではない。所定フォーマットは、需要家施設１００で用いるフォーマットとして規格化されたフォーマットであればよい。
【０１０２】
実施形態では、応答コマンドがＧＥＴ応答コマンドを含む要求応答コマンドであるケースを例示した。しかしながら、実施形態はこれに限定されるものではない。応答コマンドは、ＩＮＦコマンドを含む情報通知コマンドであってもよい。例えば、ＰＣＳ１３０は、所定条件が満たされた場合に、変数プロパティを含む情報通知コマンドをＥＭＳ１６０に送信してもよい。所定条件が満たされるケースは、例えば、電池１２０の蓄電残量が所定閾値を上回ることであってもよく、電池１２０の蓄電残量が所定閾値を下回ることであってもよい。さらに、所定条件が満たされるケースは、変数プロパティによって示される値が第三者によって書き換えられることであってもよい。例えば、変数プロパティを含むＳＥＴコマンドを２回に亘って受信する場合には、２回目のＳＥＴコマンドの受信に応じて、変数プロパティを含むＩＮＦコマンドが送信されてもよい。
【０１０３】
実施形態では、太陽電池１１０及び蓄電池１２０の出力を制御するＰＣＳ１３０（マルチＰＣＳ）を例示した。しかしながら、実施形態はこれに限定されるものではない。ＰＣＳ１３０は、蓄電池１２０の出力を制御するＰＣＳであってもよい。
【０１０４】
実施形態では、機器として蓄電池１２０を制御するＰＣＳを例示した。しかしながら、実施形態はこれに限定されるものではない。機器は、太陽電池１１０及び燃料電池などの分散電源の出力を制御するＰＣＳであってもよい。機器は、エアーコンディショナ、照明装置、冷蔵庫、テレビなどの負荷１５０であってもよい。すなわち、機器の種類によらずに、第１コマンド及び第２コマンドのプロパティが機器の動作によって変化し得る変数を示す変数プロパティを含んでいればよい。
【０１０５】
実施形態では、第１通信部１３２Ａ及び第２通信部１３２Ｂが別の構成である場合について説明したが、第１通信部１３２Ａ及び第２通信部１３２Ｂが一体の構成であってもよい。すなわち、第１通信部１３２Ａが第２通信部１３２Ｂの役割を兼ねてもよい。
【符号の説明】
【０１０６】
１…管理システム、１０…電力系統、１０Ｌ…主幹電力線、１００…需要家施設、１１０…太陽電池、１２０…蓄電池、１３０…ＰＣＳ、１３１…変換装置、１３２…通信装置、１３２Ａ…第１通信部、１３２Ｂ…第２通信部、１３２Ｃ…インタフェース、１３２Ｄ…制御部、１４０…分電盤（１４０Ａ…第１分電盤、１４０Ｂ…第２分電盤）、１５０…負荷、１６０…ＥＭＳ、１６１…通信部、１６２…制御部、１７０…表示装置、２００…ルータ、３００…ネットワーク、４００…外部サーバ
【図１】
0006328216.tif 000002
【図２】
0006328216.tif 000003
【図３】
0006328216.tif 000004
【図４】
0006328216.tif 000005
【図５】
0006328216.tif 000006
【図６】
0006328216.tif 000007
【図７】
0006328216.tif 000008
【図８】
0006328216.tif 000009
【図９】
0006328216.tif 000010
【図１０】
0006328216.tif 000011
【図１１】
0006328216.tif 000012
【図１２】
0006328216.tif 000013